(57)【要約】      （修正有）【課題】プリント模様を直接に印刷できる、タオル構造を提供する。【解決手段】タオル構造は、タオル本体１０と少なくとも一つのプリント模様２０とを含む。タオル本体１０は経糸ユニットと緯糸が交互に織り、該経糸ユニットは数本の第一経糸があり、第一経糸の二本ごとの間にさらに第二経糸が通ることによって区切られる。綿糸により構成される第一経糸と、ポリエステル繊維により構成される第二経糸が交差的に織れば、タオル本体１０にパイル状の第一表面１０１と平織状の第二表面１０２が形成される。該平織状の第二表面１０２の形成によって、二つの表面における平坦度の差が加わるとプリント模様２０を該第二表面１０２に印刷できる。【選択図】図１
0003219716.tif 000002
【実用新案登録請求の範囲】
【請求項１】
タオル本体と少なくとも一つのプリント模様とを含むタオル構造であって、
前記タオル本体は経糸ユニットと緯糸が交互に織り、前記経糸ユニットは数本の第一経糸を有し、第一経糸の二本ごとの間にさらに第二経糸が通ることによって区切られ、綿糸により構成される第一経糸と、ポリエステル繊維により構成される第二経糸が交差的に織れば、前記タオル本体にパイル状の第一表面と平織状の第二表面が形成され、前記平織状の第二表面の形成によって、二つの表面における平坦度の差が加わると、前記プリント模様を簡単に前記第二表面に印刷でき、前記タオル構造が二層の生地を重ね合わせて結合しなくてもタオルの表面に見た目のよいプリント模様が設置できることを特徴とするタオル構造。
【請求項２】
前記タオル本体は織り合わせる方式で織られることを特徴とする請求項１に記載のタオル構造。
【請求項３】
前記プリント模様は熱転写方式で第二表面に印刷されることを特徴とする請求項１に記載のタオル構造。
【考案の詳細な説明】
【技術分野】
【０００１】
本考案はタオル構造に関し、特にプリント模様を直接に印刷できるタオル構造に関する。
【背景技術】
【０００２】
従来のタオルの多くは、添付資料の２０１６年２月２１日付台湾特許証書番号第Ｍ５１７５８６号のタオル構造に示される通り、第一生地層１０、第二生地層２０及びパターン層３０とを含む。その中、該第一生地層１０はパイル面１１を含み、該第一生地層１０はポリアミド繊維またはポリエステル繊維より作られる。該第二生地層２０は着図面２１を含み、該着図面２１は平坦な布面であって、該第二生地層２０はポリアミド繊維またはポリエステル繊維より作られる。該第一生地層１０と第二生地層２０はそれぞれパイル面１１と着図面２１の反対端面によって互いに対応して結合され、また該パターン層３０はパターン３１があって、それに該着図面２１に結合される。
【０００３】
しかし、上述の従来構造は実際の応用において以下の問題がある。上述タオルは第一生地層１０と第二生地層２０が重ねた後の結合を利用することによって、第二生地層２０の着図面２１がパターン層３０の設置に提供される。タオル表面のパターンの美化効果を果たすために二層生地のデザインを使用するため、コストが掛かり、製造過程が複雑になるなどの問題がある。
【０００４】
従って、上述のような従来のタオル構造における欠点について研究改良することは実に関係業界が努力して解決すべき目標であるため、本考案者はこれを機に創作の意思を起こし、長年の経験により設計し、多方面に追究しながら試作品をつくり、また多数回にわたる修正改良の結果、本考案を得た。
【考案の概要】
【考案が解決しようとする課題】
【０００５】
本考案が解決しようとする課題は、従来技術に存在する表面模様の美化効果を果たすために、互いに結合する二層生地を使用することで、コストがかかるなどの上述の欠点を解決し、タオル構造を提供する。
【課題を解決するための手段】
【０００６】
タオル構造は、タオル本体と少なくとも一つのプリント模様とを含む。その中、タオル本体は経糸ユニットと緯糸が交互に織り、該経糸ユニットは数本の第一経糸があり、第一経糸の二本ごとの間にさらに第二経糸が通ることによって区切られる。綿糸により構成される第一経糸と、ポリエステル繊維により構成される第二経糸が交差的に織れば、上述のタオル本体にパイル状の第一表面と平織状の第二表面が形成される。該平織状の第二表面の形成によって、二つの表面における平坦度の差が加わると上述のプリント模様を簡単に該第二表面に印刷でき、上述タオル構造が二層の生地を重ね合わせて結合しなくてもタオルの表面に見た目のよいプリント模様が設置でき、これによって、タオル構造が得られる。
【０００７】
本考案のタオル構造は、上述のタオル本体に第二表面が一体成型されるため、上述タオル構造は二層の生地が重ね合わせて結合しなくても、プリント模様を簡単に該第二表面に印刷でき、該構造の配置により、生産時の製造過程を簡単化でき、必要とする人件費、コストが下げられる。
【図面の簡単な説明】
【０００８】
【図１】本考案に係るタオル構造を示す立体図である。
【図２】本考案を織る時における経、緯糸の配置図である。
【図３】本考案のタオル本体が織り終わった後の完成図である。
【図４】本考案のタオル本体が織り終わった後にプリント模様を直接に第二表面に印刷する状態を示す図である。
【考案を実施するための形態】
【０００９】
まず、図１から図４を参照されたい。本考案のタオル構造は、第一生地層１０と少なくとも一つのプリント模様２０とを含む。その中、タオル本体１０は経糸ユニット１１と緯糸１２が交互に織り、該経糸ユニット１１は数本の第一経糸１１１があり、第一経糸１１１の二本ごとの間にさらに第二経糸１１２が通ることによって区切られる。綿糸により構成される第一経糸１１１と、ポリエステル繊維により構成される第二経糸１１２が交差的に織れば、上述のタオル本体１０にパイル状の第一表面１０１と平織状の第二表面１０２が形成される。該平織状の第二表面１０２の形成によって、二つの表面における平坦度の差が加わると上述のプリント模様２０を簡単に該第二表面１０２に印刷でき、上述タオル構造が二層の生地を重ね合わせて結合しなくてもタオルの表面に見た目のよいプリント模様２０が設置できる。
【００１０】
その中、上述タオル本体１０は織り合わせる方式で織られる。
【００１１】
その中、上述プリント模様２０は熱転写（熱昇華）方式で第二表面１０２に印刷される。
【００１２】
上述の具体的な実施例構造により、以下の効果が得られる。第二表面１０２は上述タオル本体１０に一体成型されるため、上述のタオル構造は二層の生地を重ね合わせて結合しなくても、プリント模様２０を簡単に該第二表面１０２に印刷できる。該構造の配置により、従来生産時の複雑な製造過程（例えば、二つの生地をそれぞれ製造してから重ねて縫い合わせる）を簡単化でき、必要とする人件費、コストが下げられる。
【００１３】
以上は、本考案に係る実施例の一部に過ぎないため、本考案の実施範囲を制限するものではない。即ち、本考案の特許請求の範囲内で行われる変化、修飾なども本考案の範囲に属すべきである。
【符号の説明】
【００１４】
１０              タオル本体
１０１            第一表面
１０２            第二表面
１１              経糸ユニット
１１１            第一経糸
１１２            第二経糸
１２              緯糸
２０              プリント模様
【図１】
0003219716.tif 000003
【図２】
0003219716.tif 000004
【図３】
0003219716.tif 000005
【図４】
0003219716.tif 000006